(57)【要約】【課題】避雷器を組み込んだ柱上開閉器の小型化を図り、柱上開閉器に組み込まれた避雷器の点検や交換作業を行う際の柱上における作業性を向上させる。【解決手段】柱上開閉器Ａは開閉器本体Ａ１とオプションユニットＡ２を有している。開閉器本体Ａ１の本体ケース１１には、電源側ブッシング２、固定接触２１、負荷側ブッシング３、可動接触３２及び可動接触３２を動かすリンク装置４等を備えている。各負荷側端子３１には電線３３の一端側が接続されている。各電線３３の他端側はカバー６を貫通し、各避雷器９に接続されている。オプションユニットＡ２は、本体ケース１１の下部開口部１０側に取り付けてある取付枠体７と、取付枠体７に固定されている避雷器９とトランス８及び下部開口部１０側に気密に取り付けられている蓋ケース１２を有している。【選択図】　　　　図１
2004040849.tif 000002
【特許請求の範囲】
【請求項１】
避雷器を備えた柱上開閉器であって、
機器を組み込むケースが、本体ケースと、本体ケースの開口側に設けられている蓋ケースにより構成されており、
蓋ケース側または蓋ケース内部には、本体ケースに取り付けられた取付枠体を有しており、取付枠体には避雷器が取り付けられていることを特徴とする、
柱上開閉器。
【請求項２】
避雷器を備えた柱上開閉器であって、
機器を組み込むケースが、本体ケースと、本体ケースの開口側に設けられている蓋ケースにより構成されており、
蓋ケース側または蓋ケース内部には、本体ケースに取り付けられた取付枠体を有しており、取付枠体には避雷器とトランスが取り付けられていることを特徴とする、
柱上開閉器。
【請求項３】
避雷器の一端側は、負荷側端子に接続されており、他端側はアースに接続される本体ケースまたは蓋ケースに直接または間接的に接続されていることを特徴とする、
請求項１または２記載の柱上開閉器。
【発明の詳細な説明】
【０００１】
【発明の属する技術分野】
本発明は、柱上開閉器に関するものである。詳しくは、柱上開閉器の製造において、避雷器をオプションとして組み込む場合に組み込み作業が容易にでき、また、避雷器の点検や交換作業を行う際の柱上における作業性を向上させ、更に避雷器を組み込んだ柱上開閉器の小型化を図ったものに関する。
【０００２】
【従来技術】
柱上開閉器には、配電線等に落雷があり、雷サージ電流が発生しても、その電流をアースに逃がして開閉器自体が損傷を受けることを防止する避雷器が設けられている。
図２に、避雷器を備えた従来の柱上開閉器Ｂを示す。
従来の柱上開閉器Ｂでは、避雷器９ａは、開閉器本体を構成する本体ケース１１ａの内部側の天井部に、負荷側端子３１ａと本体ケース１１ａとの間に斜めに架け渡すようにして設けられている。
また、柱上開閉器Ｂには、避雷器９ａが標準的に備えてある場合もあるが、地域によっては、雷が発生しにくく、避雷器９ａを必要としないところもあり、避雷器９ａがオプションで扱われる場合も多い。
【０００３】
【発明が解決しようとする課題】
上記したような、避雷器を備えた従来の柱上開閉器には、次のような課題があった。
（ａ）避雷器は本体ケースの内部側の天井部に設けられる構造であるため、避雷器をオプションで追加する場合は、開閉器本体を組み立てるときに、本体ケースの下側から組み込まれる他の部品と共に組み込む必要があり、他の部品を組み込んだ後で避雷器を組み込むことはできなかった。
また、柱上開閉器には、避雷器の他にも蓋ケースに設けられるトランス（ＶＴ）等のオプション部品があるため、これらと避雷器との組み合わせが複数ある場合がある。すなわち、柱上開閉器は、オプションの組み合わせによって、初期の工程から製造工程が異なるため、製造しにくい。それに対処するために、避雷器を組み込んだものと組み込んでいないもの、つまり二種類の柱上開閉器の半完成品を予めつくっておくことも考えられるが、工場内に半完成品を保管するためのスペースを確保しなければならない等、生産管理を行う上で問題があった。
【０００４】
（ｂ）柱上開閉器の定期点検時や、落雷による雷サージ電流が発生した場合には、避雷器の状態を点検して、破損していれば交換する必要がある。しかし、避雷器は、本体ケースの内部側の天井部に設けられているので、避雷器の点検と交換は、他の部品が邪魔になってきわめて作業がしにくく、柱上に取り付けたままでの作業は困難であった。このため、避雷器の点検と交換は、実際上、柱上開閉器を柱上から下ろして地上で作業を行っており、後にはまた柱上に取り付けなくてはならず、作業には大変な手間がかかっていた。
【０００５】
（ｃ）避雷器は、本体ケースの内部側の天井部に設けられているので、開閉器本体を構成する本体ケース内に避雷器を収容するためのスペースが必要であり、その分だけ本体ケースが大型化し、これに伴って柱上開閉器も大型化していた。
【０００６】
（本発明の目的）
本発明の目的は、柱上開閉器の製造において、避雷器をオプションとして組み込む場合に作業が容易にできるようにすることである。
本発明の他の目的は、柱上開閉器に組み込まれた避雷器の点検や交換作業を行う際の柱上における作業性を向上させることである。
本発明の他の目的は、避雷器を組み込んだ柱上開閉器の小型化を図ることである。
【０００７】
【課題を解決するための手段】
上記課題を解決するために講じた本発明の手段は次のとおりである。
第１の発明にあっては、
避雷器を備えた柱上開閉器であって、
機器を組み込むケースが、本体ケースと、本体ケースの開口側に設けられている蓋ケースにより構成されており、
蓋ケース側または蓋ケース内部には、本体ケースに取り付けられた取付枠体を有しており、取付枠体には避雷器が取り付けられていることを特徴とする、
柱上開閉器である。
【０００８】
第２の発明にあっては、
避雷器を備えた柱上開閉器であって、
機器を組み込むケースが、本体ケースと、本体ケースの開口側に設けられている蓋ケースにより構成されており、
蓋ケース側または蓋ケース内部には、本体ケースに取り付けられた取付枠体を有しており、取付枠体には避雷器とトランスが取り付けられていることを特徴とする、
柱上開閉器である。
【０００９】
第３の発明にあっては、
避雷器の一端側は、負荷側端子に接続されており、他端側はアースに接続される本体ケースまたは蓋ケースに直接または間接的に接続されていることを特徴とする、
第１または第２の発明に係る柱上開閉器である。
【００１０】
（作用）
本発明に係る柱上開閉器は、機器を組み込むケースが、本体ケースと、本体ケースの開口側に設けられている蓋ケースにより構成されており、避雷器は、取付枠体によって蓋ケース側または蓋ケース内部に設けられているので、通常は下側にある蓋ケースを取り外せば、避雷器が露出し、避雷器の取り扱いがしやすい。
【００１１】
従って、柱上開閉器が雷サージ電流を受けたときの避雷器の点検や、交換が必要な場合の交換作業等が容易にできる。また、柱上における点検や交換等の作業性も向上させることができる。
更に、柱上開閉器の製造において、避雷器をオプションとして組み込む場合の作業は、同じ工程でつくることができる基本的な構成の開閉器本体にいわばオプションユニットとして後付けができるので、製造作業が容易にできるようになる。
【００１２】
避雷器は、従来の柱上開閉器のように、本体ケースの内部側には設けられていないので、そのスペースが不要な分だけ、本体ケースを小さくつくることができる。これにより、避雷器を組み込んだ柱上開閉器の小型化を図ることができる。
【００１３】
【発明の実施の形態】
本発明を図面に示した実施の形態に基づき更に詳細に説明する。
図１は本発明に係る柱上開閉器の構造を示す断面説明図である。
柱上開閉器Ａは、各種の機器を組み込むケース（外箱ともいう）１を備えている。ケース１は金属製で、上部側の本体ケース１１と、本体ケース１１の下部側に設けてある下部開口部１０を閉塞するように着脱可能に設けられている蓋ケース１２により構成されている。
なお、本体ケース１１は、内部に組み込まれる各種の機器と共に開閉器本体Ａ１を構成し、蓋ケース１２は、内部に収容される取付枠体７、トランス８及び避雷器９と共にオプションユニットＡ２を構成する。
【００１４】
開閉器本体Ａ１は、上記のように本体ケース１１を備えている。本体ケース１１の図１において左側には、電源側ブッシング２が壁部を貫通して設けられており、同じく右側には負荷側ブッシング３が設けられている。
電源側ブッシング２と負荷側ブッシング３は、それぞれ図１において奥行き方向へ三箇所に並設されている。各電源側ブッシング２には、電源側ケーブル２０が接続されており、各負荷側ブッシング３には、負荷側ケーブル３０が接続されている。
【００１５】
各電源側ブッシング２の本体ケース１１内部側の先端部には、固定接触２１が設けられている。また、各負荷側ブッシング３の本体ケース１１内部側の先端部には、負荷側端子３１が設けられている。
各負荷側端子３１には、ほぼ「く」字状の可動接触３２が、基部を回動可能に軸着して取り付けられている。各可動接触３２は、図示していない操作ハンドルで操作されるリンク装置４によって、回動するようになっている。これによって、固定接触２１と可動接触３２の入・切操作ができる。
【００１６】
上記のように、固定接触２１、可動接触３２、リンク装置４は、これらの組み合わせを一組として、三組設けられている。各組には、上部側が開口し、下部側が本質的に閉塞した絶縁性の合成樹脂でつくられたカバー６が、それらを覆うように取り付けられている。カバー６の底部の一端側には、管状パッキン６０が内外を貫通して設けられている。
各負荷側端子３１には、圧着端子３４によって電線３３の一端側が接続されている。各電線３３の他端側は管状パッキン６０を通り、次に説明する避雷器９に接続されている。なお、符号５は過電流継電器、１４は本体ケース１１に設けられているアース接続用端子である。
【００１７】
本体ケース１１の下部開口部１０側には、取付枠体７が取り付けられている。取付枠体７は金属製であり、本体ケース１１との間で導電状態になっている。取付枠体７には、トランス８が一箇所に、避雷器９が並行して三箇所に取り付けられている。
各避雷器９は、基部側の端子（図１において下部側）が取付枠体７と導電状態にして取付枠体７に取り付けられている。また、各避雷器９の先部側の端子（図１において上部側）には、上記したように各電線３３の他端側が接続されており、接続部には絶縁キャップ３５が被せてある。
【００１８】
そして、本体ケース１１の下部開口部１０側には、取付枠体７とトランス８及び各避雷器９を内部に収容するようにして、上部が開口した箱状の蓋ケース１２が、パッキン１３を介在させて気密に取り付けられている。
なお、図１において、固定接触２１と可動接触３２は、入状態（投入状態）にある。
【００１９】
（作　用）
図１を参照して、本実施の形態に係る柱上開閉器の作用を説明する。
柱上開閉器Ａは、ケース１が、本体ケース１１と、本体ケース１１の下部開口部１０側に設けられている蓋ケース１２により構成されており、各相ごとの三個の避雷器９は、蓋ケース１２の内部に設けられている取付枠体７にトランス８と共に取り付けられている。
この構造によれば、下部側にある蓋ケース１２を取り外せば、各避雷器９が露出するので、避雷器９の取り扱いがしやすい。従って、柱上開閉器Ａが雷サージ電流を受けたときの避雷器９の点検や、交換が必要な場合の交換作業等が容易にできる。また、柱上における点検や交換等の作業性も向上させることができ、避雷器９の点検や交換等の作業を行う度ごとに、柱上開閉器Ａを柱上から下ろす必要がないので、容易かつ短時間での作業が可能になる。
【００２０】
更に、柱上開閉器Ａの製造において、避雷器９をオプションとして組み込む場合の作業は、同じ工程でつくることができる基本的な構成の開閉器本体Ａ１に、オプションユニットＡ２を後付けすることができるので、製造作業が容易にできるようになる。
避雷器９は、本体ケース１１の内部側には設けられていないので、そのスペースが不要な分だけ、本体ケース１１を小さくつくることができる。これにより、避雷器９を組み込んだ柱上開閉器Ａの小型化を図ることができる。
【００２１】
なお、オプションユニットＡ２は、ニーズによってトランス８と避雷器９のうち何れか一方のみが取り付けられる場合もあるし、どちらも取り付けられない場合もある。どちらも取り付けられない場合は、取付枠体７も設けられず、蓋ケースも小型化のために平板状のものが取り付けられる。
【００２２】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００２３】
【発明の効果】
本発明は上記構成を備え、次の効果を有する。
（ａ）本発明に係る柱上開閉器は、機器を組み込むケースが、本体ケースと、本体ケースの開口側に設けられている蓋ケースにより構成されており、避雷器は、取付枠体によって蓋ケース側または蓋ケース内部に設けられているので、通常は下側にある蓋ケースを取り外せば、避雷器が露出し、避雷器の取り扱いがしやすい。
従って、柱上開閉器が雷サージ電流を受けたときの避雷器の点検や、交換が必要な場合の交換作業等が容易にできる。また、柱上における点検や交換等の作業性も向上させることができる。
【００２４】
（ｂ）柱上開閉器の製造において、避雷器をオプションとして組み込む場合の作業は、同じ工程でつくることができる基本的な構成の開閉器本体にいわばオプションユニットとして後付けができるので、製造作業が容易にできるようになる。
【００２５】
（ｃ）避雷器は、従来の柱上開閉器のように、本体ケースの内部側には設けられていないので、そのスペースが不要な分だけ、本体ケースを小さくつくることができる。これにより、避雷器を組み込んだ柱上開閉器の小型化を図ることができる。
【図面の簡単な説明】
【図１】本発明に係る柱上開閉器の構造を示す断面説明図。
【図２】従来の柱上開閉器の構造を示す断面説明図。
【符号の説明】
Ａ　柱上開閉器
Ａ１　開閉器本体
Ａ２　オプションユニット
１　ケース
１０　下部開口部
１１　本体ケース
１２　蓋ケース
１３　パッキン
１４　アース接続用端子
２　電源側ブッシング
２０　電源側ケーブル
２１　固定接触
３　負荷側ブッシング
３０　負荷側ケーブル
３１　負荷側端子
３２　可動接触
３３　電線
３４　圧着端子
３５　絶縁キャップ
４　リンク装置
５　過電流継電器
６　カバー
６０　管状パッキン
７　取付枠体
８　トランス
９　避雷器
【図１】
2004040849.tif 000003
【図２】
2004040849.tif 000004